(57)【要約】      （修正有）【課題】複雑な装置構成を要することなく、手洗い時における洗浄液吐出器の誤動作を防止できる手洗装置を提供する。【解決手段】物体を検知すると水又は湯を吐出する吐水器１０と、洗浄液を吐出する洗浄液吐出器２０と、を備える手洗装置１であって、吐水器１０は、吐水口部１２と、検知範囲内で物体を検知する吐水センサ１１と、吐水センサ１１の検知信号に基づいて吐水口部１２からの水又は湯の吐水及び止水を制御する吐水制御部と、を有し、洗浄液吐出器２０は、吐出口部２２と、検知範囲内で物体を検知する洗浄液吐出センサ２１と、該洗浄液吐出センサの検知信号に基づいて前記吐出口部からの洗浄液の吐出及び停止を制御する洗浄液吐出制御部と、を有し、洗浄液吐出センサ２１から出射される出射光の出射方向であるセンサ方向は、吐水口部１２から吐出される水又は湯の吐出方向よりも下方に傾斜している手洗装置。【選択図】図１
2017133243.tif 000002
【特許請求の範囲】
【請求項１】
物体を検知すると水又は湯を吐出する吐水器と、物体を検知すると洗浄液を吐出する洗浄液吐出器と、を備える手洗装置であって、
前記吐水器は、
先端側に設けられた吐水口部と、
検知範囲内で物体を検知する吐水センサと、
該吐水センサの検知信号に基づいて前記吐水口部からの水又は湯の吐水及び止水を制御する吐水制御部と、を有し、
前記洗浄液吐出器は、
先端側に設けられた吐出口部と、
検知範囲内で物体を検知する洗浄液吐出センサと、
該洗浄液吐出センサの検知信号に基づいて前記吐出口部からの洗浄液の吐出及び停止を制御する洗浄液吐出制御部と、を有し、
前記洗浄液吐出センサから出射される出射光の出射方向であるセンサ方向は、前記吐水口部から吐出される水又は湯の吐出方向よりも下方に傾斜している手洗装置。
【請求項２】
前記洗浄液吐出センサの出射部は、前記吐水器の吐水口部よりも奥側に配置される請求項１に記載の手洗装置。
【請求項３】
水平方向に対する前記センサ方向の傾斜角度をセンサ角度とし、
水平方向に対する前記吐出方向の傾斜角度を吐水角度としたときに、
前記センサ角度と前記吐水角度との角度差は、１０°〜４０°である請求項１又は２に記載の手洗装置。
【請求項４】
前記吐水制御部と前記洗浄液吐出制御部は、別々に設けられている請求項１から３いずれかに記載の手洗装置。
【発明の詳細な説明】
【技術分野】
【０００１】
本発明は、手洗装置に関する。
【背景技術】
【０００２】
従来、公共施設のトイレや洗面所に設置される手洗装置では、使用者が手を差し出すと自動で手洗装置のボウル部に向けて吐水動作を行う吐水器や、洗浄液の吐出動作を行う洗浄液吐出器が設けられている。このような吐水器や洗浄液吐出器は、センサ等の検知手段で物体を検知し、その検知信号に応じてポンプや弁の開閉等を制御することで各種動作を行うものである。
【０００３】
このような手洗装置における吐水器及び洗浄液吐出器は、それぞれ個別のセンサで物体を検知するものであるため、誤動作が生じる恐れがある。例えば、使用者が吐水器に吐水動作を行わせている最中に洗浄液吐出器におけるセンサが使用者の手を誤って検知し、洗浄液の吐出動作が行われる場合がある。かかる場合、使用者の手や服に洗浄液が付着する、あるいは洗浄液が無駄に消費される等の不都合が生じる。
【０００４】
上記のような不都合の解消のため、各装置のセンサからの検出信号に基づき、各装置の動作を制御する制御部を備え、制御部により例えばムース吐出動作後に乾燥動作の温風の風量を徐々に増加させる等、各装置の動作の制御を行う手洗装置に関する発明が提案されている（例えば、後述の特許文献１参照）。
【先行技術文献】
【特許文献】
【０００５】
【特許文献１】特許第４７８６８１６号公報
【発明の概要】
【発明が解決しようとする課題】
【０００６】
特許文献１に記載された発明は、洗浄液の吐出動作と乾燥動作との関係に着目したものであるが、洗浄液の吐出動作と吐水動作との関係に着目したものではなく、上記不具合を解決することはできない。また、各装置のセンサからの検出信号に基づき単一の制御基板で各装置の動作制御をそれぞれ行うものであるため、装置構成が複雑となりやすく、装置の設置コストや修理コストが増大するため経済的に不利である。
【０００７】
本発明は、上記に鑑みてなされたものであり、複雑な装置構成を要することなく、手洗い時における洗浄液吐出器の誤動作を防止できる安価な手洗装置を提供することを目的とする。
【課題を解決するための手段】
【０００８】
本発明は、物体を検知すると水又は湯を吐出する吐水器（例えば、後述の吐水器１０）と、物体を検知すると洗浄液を吐出する洗浄液吐出器（例えば、後述の洗浄液吐出器２０）と、を備える手洗装置（例えば、後述の手洗装置１）であって、前記吐水器は、先端側に設けられた吐水口部（例えば、後述の吐水口部１２）と、検知範囲内で物体を検知する吐水センサ（例えば、後述の吐水センサ１１）と、該吐水センサの検知信号に基づいて前記吐水口部からの水又は湯の吐水及び止水を制御する吐水制御部（例えば、後述の吐水制御部１６）と、を有し、前記洗浄液吐出器は、先端側に設けられた吐出口部（例えば、後述の吐出口部２２）と、検知範囲内で物体を検知する洗浄液吐出センサ（例えば、後述の洗浄液吐出センサ２１）と、該洗浄液吐出センサの検知信号に基づいて前記吐出口部からの洗浄液の吐出及び停止を制御する洗浄液吐出制御部（例えば、後述の洗浄液吐出制御部２８）と、を有し、前記洗浄液吐出センサから出射される出射光の出射方向であるセンサ方向（例えば、後述のセンサ方向Ｙ２）は、前記吐水口部から吐出される水又は湯の吐出方向（例えば、後述の吐出方向Ｘ１ａ）よりも下方に傾斜している手洗装置に関する。
【０００９】
また、前記洗浄液吐出センサの出射部（例えば、後述の出射部２１１）は、前記吐水器の吐水口部よりも奥側に配置されることが好ましい。
【００１０】
また、水平方向に対する前記センサ方向の傾斜角度をセンサ角度（例えば、後述のセンサ角度Ｒ２）とし、水平方向に対する前記吐出方向の傾斜角度を吐水角度（例えば、後述の吐水角度Ｒ１ａ）としたときに、前記センサ角度と前記吐水角度との角度差は、１０°〜４０°であることが好ましい。
【００１１】
また、前記吐水制御部と前記洗浄液吐出制御部は、別々に設けられていることが好ましい。
【発明の効果】
【００１２】
本発明によれば、複雑な装置構成を要することなく、手洗い時における洗浄液吐出器の誤動作を防止できる安価な手洗装置を提供できる。
【図面の簡単な説明】
【００１３】
【図１】本発明の一実施形態に係る手洗装置の全体斜視図である。
【図２】上記実施形態に係る吐水器の機能を示すブロック図である。
【図３】上記実施形態に係る洗浄液吐出器の機能を示すブロック図である。
【図４】上記実施形態に係る吐水器及び洗浄液吐出器それぞれの、吐出角度及びセンサ角度を示す図である。
【図５】上記実施形態に係る吐水器の縦断面図である。
【図６】上記実施形態に係る洗浄液吐出器の縦断面図である。
【図７】上記実施形態に係る手洗装置の右側面図である。
【図８】上記実施形態に係る手洗装置の吐水器動作時における洗浄液吐出センサ範囲と手の移動範囲を模式的に表した図である。
【発明を実施するための形態】
【００１４】
以下、本発明の一実施形態について、図面を参照しながら説明する。なお、本発明は以下の実施形態に限定されるものではない。
本実施形態に係る手洗装置は、例えば鉄道の駅等の公共施設のトイレや洗面所に設置され、人の手等の物体をセンサで検知し、その検知信号に基づいて自動的に吐水を行う吐水器及び自動的に水石けん等の洗浄液の吐出を行う洗浄液吐出器を備える。
【００１５】
図１は、本発明の一実施形態に係る手洗装置１の全体斜視図である。
図１に示すように、本実施形態に係る手洗装置１は、吐水器１０と、洗浄液吐出器２０と、ボウル３０と、台４０と、を備える。
また、本実施形態に係る手洗装置１は、複数の併設された同一種類の手洗装置のうちの一つである。
【００１６】
吐水器１０は、吐水器本体１０ａの先端側に物体を検知する吐水センサ１１と、吐水口部１２と、を有する。吐水器１０は、人の手等の物体が吐水センサ１１の検知範囲内に入ることで吐水センサ１１が物体を検知すると、自動的に吐水口部１２から水（あるいは湯）を吐出する。
【００１７】
洗浄液吐出器２０は、洗浄液吐出器本体２０ａの先端側に物体を検知する洗浄液吐出センサ２１と、吐出口部２２と、を有する。洗浄液吐出器２０は、人の手等の物体が吐出センサ２１の検知範囲内に入ることで吐出センサ２１が物体を検知すると、自動的に吐出口部２２から水石けん等の洗浄液を吐出する。
【００１８】
ボウル３０は、吐水装置１０から吐水され手洗いに使用された水や、洗浄液吐出装置２０から吐出され手洗いに使用された水石けん等の洗浄液を受けて排出する。ボウル３０の上面にはボウル部本体３１が形成され、ボウル部本体３１の中央の窪みには排水口３２が形成されている。排水口３２は、図示しない排水管と連通している。手洗いに使用され、ボウル３０に吐出された水や洗浄液は排水口３２に導かれ、排水口３２から排水管を通じて下水道等の外部に排出される。
【００１９】
台４０は、ボウル３０の下部に設けられ、図示しない排水管やその他の配管等の設備機器を被覆する。台４０は、その内部が視認されることや、台４０内に配置される設備機器が触れられることを防ぐ。
【００２０】
図２は、本実施形態に係る吐水器１０の機能を示すブロック図である。
以下、図２を用いて本実施形態に係る吐水器１０の構成について説明する。
【００２１】
図２に示す通り、吐水器１０は、先端側に人の手等の物体を検知する吐水センサ１１と、吐水口部１２と、を備える吐水器本体１０ａと、給水管１３と、吐水制御部１６と、を備える。
【００２２】
吐水センサ１１は、赤外線センサや光電センサ、電波センサ等人の手等の物体を検知するセンサであり、本実施形態においては発光部と受光部を有する赤外線式測距センサが好ましく用いられる。赤外線式測距センサは、発光部から光を出射し、出射した光による人の手等の被検知物からの反射光を受光部で受光し、所定の検知エリア内に被検知物があるか否かを検知する。
吐水センサ１１は、後述する吐水制御部１６と電気的に接続され、物体を検知すると検知信号を後述の吐水制御部１６に送信する。
【００２３】
吐水口部１２は、吐水器１０の内部を介し給水管１３に連結されており、給水管１３から給水されることで吐水する。
【００２４】
給水管１３は、吐水器１０に供給される水が流通する経路であり、その下流側端部は吐水器１０に接続され、上流側端部は上水道等、図示しない外部の給水源に接続されている。また、給水管１３には電磁弁１５が設けられている。電磁弁１５は、後述の吐水制御部１６に電気的に接続されており、吐水制御部１６からの制御信号に応じて開閉動作を行うことで、吐水器１０による吐水と止水を切り替える。
また、給水管１３には湯が流通する給湯管１４が電磁弁１５を介し接続されている。電磁弁１５において給湯の混合割合が調節され、吐水される水の温度が調節される。
【００２５】
吐水制御部１６は、マイコン等を搭載した回路基板により構成される。吐水制御部１６は、吐水センサ１１からの検知信号に基づき電磁弁１５に制御信号を送信し、電磁弁１５を開閉することで吐水器１０の吐水及び止水を制御する。
【００２６】
図３は、本実施形態に係る洗浄液吐出器２０の機能を示すブロック図である。以下、図３を用いて本実施形態に係る洗浄液吐出器２０の構成について説明する。
【００２７】
洗浄液吐出器２０は、先端側に人の手等の物体を検知する洗浄液吐出センサ２１と、吐出口部２２と、を備える洗浄液吐出器本体２０ａと、洗浄液供給管２３と、空気供給管２６と、有する。
【００２８】
洗浄液吐出センサ２１は、吐水センサ１１と同様の赤外線センサや光電センサ、電波センサ等人の手等の物体を検知するセンサであり、発光部と受光部を有する赤外線式測距センサが好ましく用いられる。洗浄液吐出センサ２１は、後述する洗浄液吐出制御部２８と電気的に接続され、物体を検知すると検知信号を洗浄液吐出制御部２８に送信する。
【００２９】
吐出口部２２は、洗浄液吐出器２０の吐出口に接続される部材であり、洗浄液と空気が混合されることで形成される泡を先端部から吐出する。
【００３０】
洗浄液供給管２３は、水石けん等の洗浄液が流通する管であり、その下流側端部は洗浄液吐出器本体２０ａに接続され、上流側端部は洗浄液を貯留する洗浄液タンク２４に接続されている。なお、図３上、洗浄液タンク２４は単一の洗浄液吐出器本体２０ａに接続されているが、パブリック用途であるため実際には複数の洗浄液吐出器本体に接続される。
また、洗浄液供給管２３には洗浄液ポンプ２５が接続されている。洗浄液ポンプ２５は、後述の洗浄液吐出制御部２８に電気的に接続されており、洗浄液吐出制御部２８から送信される制御信号に基づいて洗浄液タンク２４に貯留された水石けん等の洗浄液を洗浄液吐出器本体２０ａに圧送して供給する。
【００３１】
空気供給管２６は、洗浄液吐出器本体２０ａに洗浄液の泡を形成するための空気を供給する管であり、その下流側端部は洗浄液吐出器本体２０ａに接続され、上流側端部はエアポンプ２７に接続されている。エアポンプ２７はモータ等の駆動部を有し、駆動部を駆動させることで外部の空気を圧縮して下流側に吐出する。エアポンプ２７は後述の洗浄液吐出制御部２８に電気的に接続されており、洗浄液吐出制御部２８から送信される制御信号に基づいて空気を洗浄液吐出器本体２０ａに供給する。
【００３２】
洗浄液吐出制御部２８は、マイコン等を搭載した回路基板により構成される。洗浄液吐出制御部２８は、一度洗浄液吐出センサ２１から検知信号を受信すると洗浄液ポンプ２５及びエアポンプ２７を所定時間動作させ、その後一定時間は洗浄液吐出センサ２１から検知信号を受信しても洗浄液ポンプ２５及びエアポンプ２７の動作を行わないような制御を行う。
なお、洗浄液吐出器２０の制御を行う洗浄液吐出制御部２８は、吐水器１０の制御を行う吐水制御部１６とは別に、独立して設けられる。
【００３３】
次に、本実施形態に係る手洗装置１の、吐水器１０と洗浄液吐出器２０の位置関係につき説明する。
図４は、吐水器１０及び洗浄液吐出器２０のセンサ方向Ｘ１、Ｙ２及び吐出方向Ｘ１ａ、Ｙ２ａの水平方向に対する傾斜角度である、吐出角度及びセンサ角度をそれぞれ示す図である。
なお、ここでいう吐出方向Ｘ１ａ、Ｙ２ａとは各装置からの水又は洗浄液の吐出直後の方向を指し、吐出された水や洗浄液が受ける重力の影響を考慮しないものとする。具体的にはそれぞれの吐出口部の延設方向とする。同様に、センサ方向とは装置からの赤外線等の出射光の出射直後の方向を指し、出射光の受ける拡散や散乱等の影響を考慮しないものとする。
【００３４】
図４に示す通り、吐水器１０及び洗浄液吐出器２０のセンサ方向Ｘ１、Ｙ２及び吐出方向Ｘ１ａ、Ｙ２ａは、水平方向に対し下方に傾斜し、吐水器１０の吐水角度Ｒ１ａは洗浄液吐出器２０のセンサ角度Ｒ２よりも小さい。即ち、吐水器１０の吐出方向Ｘ１ａよりも洗浄液吐出器２０のセンサ方向Ｙ２の方がより下方に傾斜している。
【００３５】
本実施形態において、吐水器１０の吐水角度Ｒ１ａと、洗浄液吐出器２０のセンサ角度Ｒ２との角度差を１０°以上とすることで、人が吐水器１０に吐水動作を行わせている際、洗浄液吐出センサ２１の検知範囲内に人の手が入りにくくなる。
また、洗浄液吐出器２０のセンサ角度Ｒ２を大きくし、即ちセンサ方向を下方に向けて吐水器１０の吐水角度Ｒ１ａとの角度差を大きくするほど、吐水動作時において洗浄液吐出センサ２１のセンサ範囲に人の手が入りにくくなるが、Ｒ１ａとＲ２との角度差が４０°を超える場合、人が洗浄液吐出器２０に吐出動作を行わせるためには、壁に接触するほど手を奥側に差し出さねばならなくなり、洗浄液吐出器２０の使い勝手が低下するため好ましくない。従って、Ｒ１ａとＲ２との角度差は、１０°〜４０°であることが好ましい。
【００３６】
また、吐水器１０の吐水角度Ｒ１ａは１０°〜３０°であることが好ましく、洗浄液吐出器２０のセンサ角度Ｒ２は３０°〜５０°であることが好ましい。本実施形態におけるＲ１ａは２０°であり、Ｒ２は４５°である。
なお、本実施形態において、吐水器１０のセンサ角度Ｒ１と吐水角度Ｒ１ａとはほぼ同一であり、洗浄液吐出器２０のセンサ角度Ｒ２と吐出角度Ｒ２ａも同様にほぼ同一である。
【００３７】
次に、図５及び図６を用いて、本実施形態に係る吐水器本体１０ａ及び洗浄液吐出器本体２０ａの内部構造について詳しく説明する。
【００３８】
図５は、本実施形態に係る吐水器１０の縦断面図である。
図５に示す通り、吐水器１０は、吐水センサ１１と、吐水口部１２と、給水管１３と、吐水器固定部材１３１及び１３２と、吐水器本体ケース１３３と、を備える。
【００３９】
吐水センサ１１は、前述の通り赤外線式測距センサであり、略直方体形状を有する。吐水センサ１１は、先端に吐水センサ出射部１１１を備え、後述の吐水器本体ケース１３３内に設けられた吐水センサ収容部１３４に収容される。吐水センサ１１は、吐水センサ収容部１３４に収容された状態において吐水センサ出射部１１１のみが外部に露出する。
【００４０】
吐水口部１２は、吐水器本体１０ａ内部で給水管１３と接続されており、後述の吐水器本体ケース１３３における傾斜面部１３３ａに対し略垂直な延設方向を有する吐水部１２１を有する。従って、吐出口部１２から吐水される水の吐出方向Ｘ１ａは、傾斜面部１３３ａ、即ち吐水部１２１の先端面に対し略垂直となる。
【００４１】
給水管１３は、水又は湯を吐水装置本体１０ａに供給する、ホース等の金属製や樹脂製の部材である。給水管１３の下流側端部は吐出口部１２に接続される。
【００４２】
吐水器固定部材１３１及び１３２は、円筒部及びフランジ部を有する吐水器固定部材本体１３１と、これと螺合可能なナット１３２と、を含む。吐水器固定部材本体１３１のフランジ部とナット１３２との間に壁Ｗを挟み込み、吐水器固定部材本体１３１とナット１３２とを螺合させ、締め付けることで吐水器本体１０ａは壁Ｗに固定される。
【００４３】
吐水器本体ケース１３３は、先端部に傾斜面部１３３ａを有する略円筒状の金属部材であり、取付面Ｗ１に対し表側に配置される部材を覆い、内部に収容する。
吐水器本体ケース１３３の先端部における傾斜面部１３３ａ及び基端部１３３ｂは開口しており、傾斜面部１３３ａからは吐水センサ出射部１１１及び吐出口部１２の先端に形成された吐水部１２１が露出しており、基端部１３３ｂは取付面Ｗ１と当接している。
また、吐水器本体ケース１３３内部には吐水センサ収容部１３４が設けられる。吐水センサ収容部１３４は傾斜面部１３３ａにおいて開口するように形成され、吐水センサ１１とほぼ同じ形状及び大きさの凹部形状を有する。吐水センサ収容部１３４は、傾斜面部１３３ａから基端側に向かい上方に傾斜しており、吐水センサ収容部１３４に収容された吐水センサ１１からのセンサ方向Ｘ１は傾斜面部１３３ａ、即ち吐水センサ出射部１１１の表面に対し略垂直となる。
【００４４】
図６は、本実施形態に係る洗浄液吐出器２０の縦断面図である。
図６に示す通り、洗浄液吐出器２０は、洗浄液吐出センサ２１と、吐出口部２２と、吐出口部材２２１と、接続部材２２３と、吐出器固定部材２２４及び２２５と、吐出器本体ケース２２６と、を有する。
【００４５】
洗浄液吐出センサ２１は、前述の通り赤外線式測距センサであり、略直方体形状を有する。洗浄液吐出センサ２１は、先端に出射部２１１を備え、後述の吐出口部材２２１に設けられた洗浄液吐出センサ収容部２１２に収容される。洗浄液吐出センサ２１は、洗浄液吐出センサ収容部２１２に収容された状態において出射部２１１のみが外部に露出する。
【００４６】
吐出口部２２は、後述の吐出口部材２２１内に形成された流通路２２２に接続され、後述の洗浄液吐出器本体ケース２２６に形成される傾斜面部２２６ａに対し略垂直な延設方向を有する。従って、吐出口部２２から吐出される洗浄液の吐出方向Ｙ２ａは、傾斜面部２２６ａ、即ち吐出口部２２の先端面に対し略垂直となる。
【００４７】
吐出口部材２２１は、吐出口部２２に接続され、内部に洗浄液の流通路２２２を有する。また、吐出口部材２２１は、洗浄液吐出センサ２１を保持する洗浄液吐出センサ収容部２１２を有する樹脂製の部材である。洗浄液吐出センサ収容部２１２は後述の傾斜面部２２６ａにおいて開口するように形成され、洗浄液吐出センサ２１とほぼ同じ形状及び大きさの凹部形状を有する。洗浄液吐出センサ収容部２１２は、傾斜面部２２６ａから基端側に向かい上方に傾斜しており、洗浄液吐出センサ収容部２１２に収容された洗浄液吐出センサ２１からのセンサ方向Ｙ２は傾斜面部２２６ａ、即ち出射部２１１の表面に対し略垂直となる。なお、出射部２１１の表面の傾斜角度は、吐水部１２１の先端面の傾斜角度よりも大きい。
また、吐出口部材２２１は後述の接続部材２２３と接続される。
【００４８】
接続部材２２３は、上流側に洗浄液供給管２３及び空気供給管２６が接続され、下流側に吐出口部材２２１が接続され、内部に洗浄液及び空気の流通路を有する樹脂製の部材である。接続部材２２３の内部で供給された洗浄液及び空気が混合され、洗浄液の泡が形成される。
【００４９】
吐出器固定部材２２４及び２２５は、円筒部及びフランジ部を有する吐出器固定部材本体２２４と、これと螺合可能なナット２２５と、を含む。吐出器固定部材本体２２４のフランジ部とナット２２５との間に壁Ｗを挟み込み、吐水器固定部材本体２２４とナット２２５とを螺合させ、締め付けることで洗浄液吐出器本体２０ａは壁Ｗに固定される。
【００５０】
吐出器本体ケース２２６は、先端部に傾斜面部２２６ａを有する略円筒状の金属部材であり、取付面Ｗ１に対し表側に配置される部材を覆い、内部に収容する。
吐出器本体ケース２２６の先端部における傾斜面部２２６ａ及び基端部２２６ｂは開口しており、傾斜面部２２６ａからは出射部２１１及び吐出口部２２が露出しており、基端部２２６ｂは取付面Ｗ１と当接している。
【００５１】
図７は、吐水器１０の吐水角度Ｒ１ａと、洗浄液吐出器２０のセンサ角度Ｒ２との角度差を１０°〜４０°とした場合における、吐水器１０の吐出方向Ｘ１ａ及び洗浄液吐出器２０のセンサ方向Ｙ２を模式的に示した図である。図７に示す通り、Ｒ１ａとＲ２との角度差を１０°〜４０°とすることで、手洗い位置と洗浄液吐出センサ２１による検知位置との間に十分な空間を設けることができ、手洗い時に洗浄液吐出センサ２１の検知範囲内に人の手が入りにくくなる。
【００５２】
図８は、本実施形態に係る手洗装置１において、洗浄液吐出センサ２１の出射部２１１を吐水器１０における吐出口１２よりも距離Ｌだけ奥側に配置した状態を示す模式図である。
【００５３】
本実施形態において、洗浄液吐出センサ２１の先端側に設けられ、赤外線等の出射光が出射される出射部２１１は、吐水器１０における吐水口部１２よりも奥側に配置される。
先に述べた通り、Ｒ１ａとＲ２との角度差が大きいほど、即ち、洗浄液吐出センサ２１のセンサ角度Ｒ２が大きいほど手洗い時に洗浄液吐出センサ２１の検知範囲内に人の手が入りにくくなるが、洗浄液吐出器２０の使い勝手を確保するためには、Ｒ２をあまり大きくしすぎることは好ましくない。しかし、出射部２１１を吐水口１２部よりも奥側に配置することで、Ｒ２をあまり大きくせずとも、即ち、Ｒ１ａとＲ２との角度差が比較的小さい場合においても、手洗い時に洗浄液吐出センサ２１の検知範囲内に人の手が入りにくくなる。
【００５４】
図８は、人が吐水器１０に吐水動作を行わせている際の手の移動範囲と、吐水器１０の吐出方向Ｘ１ａ及び洗浄液吐出センサ２１の検知範囲を模式的に示している。なお、図８において、吐水器１０の吐水角度Ｒ１ａと洗浄液吐出器２０のセンサ角度Ｒ２との角度差は１０°〜４０°であるとする。
図８に示す通り、出射部２１１を吐出口１２よりも奥側に配置することで、人が吐水器１０に吐水動作を行わせている際の手の移動範囲と洗浄液吐出センサ２１の検知範囲が重複しにくくなる。
なお、距離Ｌの範囲としては、４０ｍｍ以上であることが好ましい。
【００５５】
次に、本実施形態に係る吐水器１０の動作について図２を用いて説明する。
人が吐水器本体１０ａに手を近づけ、吐水センサ１１の検知範囲内に人の手が入ると、吐水センサ１１により検知信号が吐水制御部１６に送信される。検知信号を受信した吐水制御部１６は、制御信号を電磁弁１５に送信する。制御信号を受信した電磁弁１５は、弁の開放動作を行い吐水器本体１０ａに水を供給する。吐水器本体１０ａに供給された水は、吐水口部１２から吐水される。
人が手洗いを終え、吐水センサ１１の検知範囲内に人の手が存在しなくなると、同様に吐水センサ１１からの検知信号を受信した吐水制御部１６により、電磁弁１５に制御信号が送信され、電磁弁１５が弁の閉止動作を行い吐水器本体１０ａへ供給される水が遮断されて、吐水口部１２から吐水されていた水は止水される。
【００５６】
次に、本実施形態に係る洗浄液吐出器２０の動作について図３を用いて説明する。
人が洗浄液吐出器本体２０ａに手を近づけ、洗浄液吐出センサ２１の検知範囲内に人の手が入ると、洗浄液吐出センサ２１により検知信号が洗浄液吐出制御部２８に送信される。検知信号を受信した洗浄液吐出制御部２８は、制御信号を洗浄液ポンプ２５及びエアポンプ２７に送信する。制御信号を受信した洗浄液ポンプ２５は洗浄液タンク２４に貯留された洗浄液を、洗浄液供給管２３を通じて洗浄液吐出器本体２０ａに圧送して供給する。同様に制御信号を受信したエアポンプ２７は空気供給管２６を通じて空気を洗浄液吐出器本体２０ａに供給する。洗浄液吐出器本体２０ａに供給された洗浄液及び空気は混合され、泡となって吐出口に接続された吐出口部２２の先端から吐出される。
【００５７】
以上説明した本実施形態に係る手洗装置１によれば、以下のような効果を奏する。
本実施形態に係る手洗装置１において、洗浄液吐出器２０における洗浄液吐出センサ２１のセンサ方向Ｙ２を、吐水器１０における吐水口部１２から吐水される水又は湯の吐出方向Ｘ１ａよりも下方に傾斜させて構成した。これにより、人が吐水器１０に吐水動作を行わせている際、即ち手洗い時に洗浄液吐出センサ２１の検知範囲に人の手が入りにくくなるため、手洗い時における洗浄液吐出器２０の誤動作を防止できる。また、吐水器１０と洗浄液吐出器２０のそれぞれのセンサの検知範囲を重複しないこととすることができるため、これらの装置の個別制御が可能となり、制御部を個別に設けることができる。また、簡易な装置構成で誤動作を防止できるため、コストを削減できる。
【００５８】
また、本実施形態に係る手洗装置１において、洗浄液吐出センサ２１からの出射光が出射される出射部２１１を吐水器１０の吐水口部１２よりも奥側に配置させて構成した。これにより、洗浄液吐出センサ２１のセンサ方向をあまり下方に傾斜させずとも手洗い時に洗浄液吐出センサ２１の検知範囲に人の手が入りにくくなるため、洗浄液吐出器２０の使い勝手を確保しつつ、手洗い時における洗浄液吐出器２０の誤動作を防止できる。
【００５９】
また、本実施形態に係る手洗装置１において、洗浄液吐出器２０の水平方向に対するセンサ方向の傾斜角度をＲ２、吐水器１０の水平方向に対する吐出方向Ｘ１ａの傾斜角度をＲ１ａとした場合において、Ｒ２とＲ１ａとの角度差が１０°〜４０°となるように構成した。これにより、手洗い時に洗浄液吐出センサ２１の検知範囲に人の手が入ることをより確実に防止できるため、手洗い時における洗浄液吐出器２０の誤動作をより確実に防止できる。
【００６０】
また、本実施形態に係る手洗装置１において、吐水器１０の制御を行う吐水制御部１６と、洗浄液吐出器２０の制御を行う洗浄液吐出制御部２８を個別に設けた。これにより、手洗装置１に新たに装置を追加したい場合や一つの装置の修理を行いたい場合においても制御部全体の交換の必要が生じないため、設備拡張や修理にかかるコストを低減できる。
【００６１】
また、本発明は上記実施形態に限定されるものではなく、本発明の目的を達成できる範囲での変形、改良等は本発明に含まれる。
例えば、本実施形態に係る手洗装置１において、図１上、吐水器１０及び洗浄液吐出器２０は壁に固定される壁付のものとして記載されているが、これに限定されず、台上に固定される台付のものであってもよい。
【００６２】
また、上記実施形態においては複数の洗浄液吐出装置２０が単一の洗浄液タンク２４から洗浄液の供給を受ける構成となっているが、これに限定されず、単一の洗浄液吐出装置が単一の洗浄液タンクから洗浄液の供給を受けるように構成してもよい。
【００６３】
また、上記実施形態においては洗浄液吐出装置２０を洗浄液の泡を形成するための空気を供給する空気供給管２６を備えるものとして構成したが、これに限定されず、洗浄液吐出装置２０は空気供給管２６を備えずに構成してもよい。
【符号の説明】
【００６４】
１      手洗装置
１０    吐水器
１１    吐水センサ
１２    吐水口部
１５    吐水制御部
２０    洗浄液吐出器
２１    洗浄液吐出センサ
２２    吐出口部
２８    洗浄液吐出制御部
【図１】
2017133243.tif 000003
【図２】
2017133243.tif 000004
【図３】
2017133243.tif 000005
【図４】
2017133243.tif 000006
【図５】
2017133243.tif 000007
【図６】
2017133243.tif 000008
【図７】
2017133243.tif 000009
【図８】
2017133243.tif 000010